(57)【要約】【目的】外部から安全弁が分からないため改造されないか或いは改造することが極めて困難なガスガン用の安全弁付きガスボンベを提供する。【構成】引き金操作に伴って所要量のガスを弾丸保持部へ供給し、弾丸を発射可能にするガスガン１０に使用するガスボンベについて、規定以上の圧力のガスが注入されても開弁してそれを放出可能な安全弁を設けるにあたり、ガスボンベ構成部材が組み合わされた部分における、一方の部材１８によって覆われる他方の部材１９の一部に、当該安全弁を配置する。【選択図】        図２
2004190876.tif 000002
【特許請求の範囲】
【請求項１】
引き金操作に伴って所要量のガスを弾丸保持部へ供給し、弾丸を発射可能とするガスガン用のガスボンベであって、ガスボンベに規定以上の圧力のガスが注入されても開弁してそれを放出可能な安全弁を設けるに当たり、ガスボンベを構成するために複数個の部材が組み合わされた部分における、一方の部材によって覆われる他方の部材の一部に、当該安全弁を配置したことを特徴とするガスガン用安全弁付きガスボンベ。
【請求項２】
安全弁を設けた連通口は、ガスボンベのガス注入口に内方が通じていて、そこに取り付けられている注入口栓と重なる位置にある請求項１記載のガスガン用安全弁付きガスボンベ。
【請求項３】
安全弁を設けた複数個の部材の結合部分にピンを嵌め殺し式に打ち込み、破壊しないかぎりはピンを除去できないように構成されている請求項１又は２記載のガスガン用安全弁付きガスボンベ。
【発明の詳細な説明】
【０００１】
【発明の属する技術分野】
本発明は、引き金操作に伴って所要量のガスを弾丸保持部へ供給し、弾丸を発射可能とするガスガン用の安全弁付ガスボンベに関するものである。
【０００２】
【従来の技術】
一般に玩具と見なされているガスガンには、フロン１３４Ａのようなガスが用いられ、高圧ガス法に接触しない低圧力で発射されるように設計、生産されている。しかしながら、なかには注入口などを改造して、極めて高圧のＣＯ２ガスなどを注入し、発射できるようにする者がおり、そのようなガスガンには凶器となり事件を起こす例もある。これまでにもリリーフ弁を設けて、高圧ガスを注入すると漏れてしまうようにしていたが、外部から弁口に接着剤を流し込んで封じてしまう例が跡を絶たず、現在はほとんど装備されていない。
【０００３】
【発明が解決しようとする課題】
本発明は前記の点に着目してなされたもので、その課題は、外部から安全弁が分からないため改造されないか或いは改造することが極めて困難なガスガン用の安全弁付きガスボンベを提供することである。
【０００４】
【課題を解決するための手段】
前記の課題を解決するため本発明は、ガスボンベに規定以上の圧力のガスが注入されても開弁してそれを放出可能な安全弁を設けるに当たり、ガスボンベを構成するために複数個の部材が組み合わされた部分における、一方の部材によって覆われる他方の部材の一部に、当該安全弁を配置するという手段を講じたものである。
【０００５】
本発明のガスガン用安全弁付きガスボンベは、引き金操作によって所要量のガスを弁装置へ供給し、弾丸を発射可能とするガスガンに適用されるものである。
このようなガスガン１０の例は図１に例示したような構成を有しており、その符号１１はマガジン、１２はガスボンベ、１３は弾丸保持部、１４は弾丸、１５は銃腔、１６は引き金を示している。
【０００６】
マガジンは、内部にガスボンベを有している。このガスボンベは、しばしば蓄圧室とも呼ばれ、フロン等のガスの注入が可能である。またマガジンは、その本来の意味するところの弾倉を備えていて良い。マガジンは、ガスボンベにガスを注入する注入口を有し、それは注入口栓によって閉じられている、その一方、引き金操作に伴うガス吐出口を上端部に備えている。またガスボンベを内蔵するマガジンはガスガンに脱着可能なものであっても良いし、ガスガンと一体に組込まれた固定式のものであっても良い。
【０００７】
このようなガスボンベに規定以上の圧力のガスが流入されても開弁してそれを放出可能な安全弁を設ける。ガス圧力の規定の上限は、当業界の自主的な規制により決められた弾丸の仕事量が０．８ジュールを越えない範囲で決められる。安全弁は、ガスボンベの内外を通じる連通口と、これを開閉可能に配置される弁体及びガス圧力の規定の上限にしたがって決められる強さのばねなどから成る。この連通口は、ガス注入口部分においてガスボンベ内に通じていること、また特に注入口栓と位置が重なるように配置されることが望ましい。
【０００８】
そして、当該安全弁は、ガスボンベを構成するために複数個の部材が組み合わされている部分における、一方の部材によって覆われる或いは隠される、他方の部材の一部に配置するものとする。これにより安全弁の存在が分からず、また分かったとしてもマガジンを分解しなければならないので、改造には容易に取りかかれないことを自覚する。
【０００９】
さらに、安全弁を設けた一方の部材によって覆われている他方の部材の両部材にかけて、ピンを嵌め殺し式に打ち込み、破壊しない限りはピンを除去できないように構成する。このため、ピンは、ドリルにより穿孔できないほど小径の軸径を有するか、或いは工具鋼によって穿孔が困難な硬度を有することが望ましい。
小径であることにより、穿孔作業によってピンが変形しやすくなり、抜き出すことを困難にするからである。高硬度については穿孔自体を困難にする趣旨である。なお、ピンでなくてもブロック状、ボール状等形は任意である。また、嵌め殺し式とは取り出すことを予定しない態様で嵌め込むことを意味する。また嵌め込む相手の軸穴は非貫通口であることが望ましい。これら一方の部材及び他方の部材も硬度の高い材質で形成すればより好ましい結果をもたらす。
【００１０】
【発明の実施の形態】
以下図示の実施形態により、本発明をより詳細に説明する。すでに一部触れたように、図１は、引き金１６の操作に伴ってガスボンベ１２から所要量のガスを弾丸保持部１３へ供給し、弾丸１４を発射可能な構造を有するガスガン１０の１例を示す。
【００１１】
ガスボンベ１２は、脱着式のマガジン１１に内蔵されており、例示のマガジン１１はグリップ１７の下から抜き差し方式で脱着される。マガジン１１は、ガスボンベ１２を構成する一方の部材としての筒状の胴部１８と、その下部に嵌合されている他方の部材としての底盤部１９及び上部に嵌合されている天盤部２０とから成り、底盤部１９には、ガス注入のための注入口栓２１が設けられ、また天盤部２０には引き金操作に伴うガス供給のための開閉弁２２が設けられている。
【００１２】
底盤部１９は、嵌合している部分が胴部１８によって覆われており、その一部２３に、ガス注入口２４に通じる連通口２５が形成されていて、この連通口２５を開閉可能に弁体２６が配置され、さらに弁体２６は弾性部材２７によって閉じ方向に付勢されている。連通口２５、弁体２６及び弾性部材２７は本発明における安全弁を構成する。
【００１３】
弁体収納部は拡大した弁室２８とされ、その外部は弾性部材２７であるばね受けにもなっている胴部１８によって覆われ、外部から見えなくなっている、一方では、高圧のガス圧を外部へ放出する放出口２９に通じている。３０はＯ−リングなどのシール部材、３１は注入口筒を示す。
【００１４】
安全弁の除去が簡単には行えないことを認識させ、さらにまた安全弁を除去するためにマガジン１１を分解する行為を無駄なものとする目的で、底盤部１９と胴部１８との結合のためのピン３２などを嵌め殺し式に打ち込む。打ち込み相手の穴３３は注入口２４に達しない非貫通口とする。
【００１５】
このような形態を有する本発明のものでは、ガスボンベ１２に対するガスの注入圧力Ｐ１が規定値未満である限り、図２に示されているように、弁体２６が連通口２５を閉じているので、ガスをガスボンベ内に充填し続けることができる。
しかし、ガスの注入圧力Ｐ２が規定値以上となると、弾性部材２７が圧縮されて弁体２６が後退し、連通口２５を開くのでこれ以上の高圧ガスは外部へ放出されることになる（図３参照）。よって、規定値を越える圧力のガスがボンベ内に注入蓄圧されることはない。
【００１６】
【発明の効果】
本発明は以上の如く構成されかつ作用するものであるから、在来型ガスボンベの基本構造を変更する必要がなく、僅かな部品点数の追加及び工数追加により、コスト上昇を招くことなく所期の目的を達成することができるものとなり、特に安全弁が外部から分からないため改造されないか、或いは改造することが極めて困難であるという効果を奏する。
【図面の簡単な説明】
【図１】本発明に係るガスガン用安全弁付ガスボンベの実施の１形態を示す説明図。
【図２】同上のガスボンベを内蔵したマガジンとその一部を拡大して示した閉弁時の断面説明図。
【図３】同じく開弁時の図２と同様な断面説明図。
【符号の説明】
１０  ガスガン
１１  マガジン
１２  ガスボンベ
１８  一方の部材としての胴部
１９  他方の部材としての底盤部
２４  ガス注入口
２５  連通口
２６  弁体
２７  弾性体
３２  ピン
３３    ピン穴
【図１】
2004190876.tif 000003
【図２】
2004190876.tif 000004
【図３】
2004190876.tif 000005